(57)【要約】      （修正有）【課題】水切り効果に優れた歯ブラシを提供する。【解決手段】柄１１の先端に一体に形成されたブラシ台１２の表面側に歯磨き用のブラシ１３が植毛された歯ブラシ１０において、ブラシ台１２の表面側にブラシ１３を植毛するための植毛部が複数形成されているとともに、ブラシ台１２に表面側から裏面側に貫通する複数の透孔部３０が形成されている。また、植毛部が、ブラシ台１２の外周列に配置された外周植毛部と、ブラシ台１２の縦方向の中央列に配置された中央植毛部とからなり、外周植毛部と中央植毛部との間隙部分に複数の透孔部３０が形成されている。【選択図】図１
0003172200.tif 000002
【実用新案登録請求の範囲】
【請求項１】
柄の先端に一体に形成されたブラシ台の表面側に歯磨き用のブラシが植毛された歯ブラシにおいて、前記ブラシ台の表面側に前記ブラシを植毛するための植毛部が複数形成されているとともに、前記ブラシ台に表面側から裏面側に貫通する複数の透孔部が形成されていることを特徴とする歯ブラシ。
【請求項２】
前記植毛部が、前記ブラシ台の外周列に配置された外周植毛部と、前記ブラシ台の縦方向の中央列に配置された中央植毛部とからなり、前記外周植毛部と前記中央植毛部との間隙部分に前記複数の透孔部が形成されている請求項１に記載の歯ブラシ。
【請求項３】
前記複数の透孔部が、丸型、三角型、長孔型、くの字型の単独または複数種類を組み合わせてなる請求項１又は２に記載の歯ブラシ。
【考案の詳細な説明】
【技術分野】
【０００１】
本考案は、柄の先端に一体に形成されたブラシ台の表面側に歯磨き用のブラシが植毛された歯ブラシに関する。
【背景技術】
【０００２】
虫歯や歯周病の予防、あるいは、口臭の抑制等、口内環境を整える際には、柄の先端に一体に形成されたブラシ台の表面側にブラシが植毛された歯ブラシを用いて歯磨きを行うことが一般的である。
【０００３】
従来の歯ブラシでは、歯磨き後、ブラシやその周辺に付着した歯磨き粉や食べかす等が水で洗い落とされ、次いで、当該歯ブラシを振ってブラシ等に残った水滴が水切りされる。
【０００４】
しかしながら、従来の歯ブラシにあっては、水切りを行っても十分に水滴を除去することが困難であり、ブラシが半乾きの状態で歯ブラシ立てに保管することになって不衛生であった。
【考案の概要】
【考案が解決しようとする課題】
【０００５】
本考案は前記の点に鑑みなされたものであり、水切り効果に優れた歯ブラシを提供するものである。
【課題を解決するための手段】
【０００６】
すなわち、請求項１の考案は、柄の先端に一体に形成されたブラシ台の表面側に歯磨き用のブラシが植毛された歯ブラシにおいて、前記ブラシ台の表面側に前記ブラシを植毛するための植毛部が複数形成されているとともに、前記ブラシ台に表面側から裏面側に貫通する複数の透孔部が形成されていることを特徴とする歯ブラシに係る。
【０００７】
請求項２の考案は、前記植毛部が、前記ブラシ台の外周列に配置された外周植毛部と、前記ブラシ台の縦方向の中央列に配置された中央植毛部とからなり、前記外周植毛部と前記中央植毛部との間隙部分に前記複数の透孔部が形成されている請求項１に記載の歯ブラシに係る。
【０００８】
請求項３の考案は、前記複数の透孔部が、丸型、三角型、長孔型、くの字型の単独または複数種類を組み合わせてなる請求項１又は２に記載の歯ブラシに係る。
【考案の効果】
【０００９】
請求項１の考案に係る歯ブラシは、柄の先端に一体に形成されたブラシ台の表面側に歯磨き用のブラシが植毛された歯ブラシにおいて、前記ブラシ台の表面側に前記ブラシを植毛するための植毛部が複数形成されているとともに、前記ブラシ台に表面側から裏面側に貫通する複数の透孔部が形成されているため、水切り効果や通気性を向上させることができ、衛生的である。
【００１０】
請求項２の考案は、請求項１において、前記植毛部が、前記ブラシ台の外周列に配置された外周植毛部と、前記ブラシ台の縦方向の中央列に配置された中央植毛部とからなり、前記外周植毛部と前記中央植毛部との間隙部分に前記複数の透孔部が形成されているため、植毛部を減少させずに良好な水切り効果を得ることができる。
【００１１】
請求項３の考案は、請求項１において、前記複数の透孔部が、丸型、三角型、長孔型、くの字型の単独または複数種類を組み合わせてなるため、簡易な構成で良好な水切り効果を得ることができる。
【図面の簡単な説明】
【００１２】
【図１】本考案の一実施例に係る歯ブラシの斜視図である。
【図２】第１実施例に係る透孔部の平面図である。
【図３】第２実施例に係る透孔部の平面図である。
【図４】第３実施例に係る透孔部の平面図である。
【図５】第４実施例に係る透孔部の平面図である。
【図６】第５実施例に係る透孔部の平面図である。
【図７】第６実施例に係る透孔部の平面図である。
【図８】第７実施例に係る透孔部の平面図である。
【図９】第８実施例に係る透孔部の平面図である。
【考案を実施するための形態】
【００１３】
図１〜図９に示す本考案の一実施例に係る歯ブラシ１０は、柄１１の先端に一体に形成されたブラシ台１２の表面側に歯磨き用のブラシ１３が植毛されたものであって、ブラシ台１２の表面側にブラシを植毛するための植毛部２０が複数形成されているとともに、ブラシ台１２に表面側から裏面側に貫通する複数の透孔部３０が形成されている。図２〜図９は、植毛部２０及び透孔部３０の様々なバリエーションを表したものである。
【００１４】
植毛部２０は、ブラシ１３を構成する複数本の繊維が植毛可能な凹部である。この植毛部２０は、図２〜図９に示すように、ブラシ台１２の外周列２１に配置された外周植毛部２２と、ブラシ台１２の縦方向の中央列２３に配置された中央植毛部２４とからなる。実施例において、外周列２１は、図２〜図９に示すように、ブラシ台１２の表面側外周に沿った位置に相当する。また、中央列２３は、外周列２１の内側の位置に相当し、縦方向の一列２３Ａ（図２，３参照）や縦方向に一列と複数列（二列）との組み合わせ２３Ｂ（図４〜図９）で構成される。
【００１５】
透孔部３０は、ブラシ台１２の表面側から裏面側に貫通することによって、ブラシ第１２やブラシ１３等に付着した水滴の水切り効果を向上させるとともに、通気性を向上させるものである。透孔部３０は、サイズが大きすぎたり、数が多すぎたりすると、植毛部２０が大きく減少してブラシ１３に大きな隙間を形成し、ブラッシング効果が低下させる恐れがある。そこで、複数の透孔部３０は、植毛部２０を極力減少させないような大きさ、形状、位置に適宜形成される。
【００１６】
図２に示す第１実施例の透孔部３０は、外周植毛部２２と中央植毛部２４との間隙部分に、中央植毛部２４を介して左右にそれぞれ形成された２つの長孔型の透孔部３１である。また、図３に示す第２実施例の透孔部３０は、外周植毛部２２と中央植毛部２４との間隙部分に、中央植毛部２４を介して左右に２つずつそれぞれ形成された４つの長孔型の透孔部３２である。この透孔部３１，３２は、外周植毛部２２と中央植毛部２４との間隙部分に形成されているため、植毛部２０を減少させずに良好な水切り効果を得ることができる。
【００１７】
図４に示す第３実施例の透孔部３０は、中央列２３Ｂに植毛部２０と略同径の丸型の透孔部３３を複数分散させて形成した例、図５に示す第４実施例の透孔部３０は、外周列２１及び中央列２３Ｂに植毛部２０と略同径の丸型の透孔部３３を複数分散させて形成した例、図６に示す第５実施例の透孔部３０は、中央列２３Ｂに植毛部２０より大きい（この例では植毛部２０の約３個分に相当）略三角型の透孔部３４を２か所に形成した例、図７に示す第６実施例の透孔部３０は、中央列２３Ｂに植毛部２０より大きい（この例では植毛部２０の約２個分に相当）横方向の長孔型の透孔部３５を２か所に形成した例、図８に示す第７実施例の透孔部３０は、外周列２１から中央列２３Ｂにまたがって植毛部２０より大きい（この例では植毛部２０の約２個分に相当）斜め方向の長孔型の透孔部３６を４か所に形成した例、図９に示す第８実施例の透孔部３０は、中央列２３Ｂに、植毛部２０と略同径の丸型の透孔部３３を１か所に形成するとともに、植毛部２０より大きい（この例では植毛部２０の約３個分に相当）くの字型の透孔部３７を２か所に形成した例である。この透孔部３３〜３７では、様々な形状の組み合わせにより、植毛部２０を大きく減少させずに水切り効果を得ることができる。
【００１８】
上のように、第１〜第８実施例に係る複数の透孔部３１〜３７は、丸型、三角型、長孔型、くの字型の単独または複数種類を組み合わせることにより、簡易な構成で良好な水切り効果を得ることができる。
【００１９】
なお、本考案の歯ブラシは、前述の実施例のみに限定されるものではなく、考案の趣旨を逸脱しない範囲において構成の一部を適宜に変更して実施することができる。例えば、透孔部の大きさ、形状、位置は、前記各実施例のみに限定されるものではなく、植毛部を大きく減少させないものであれば、他の組み合わせによって構成してもよい。
【符号の説明】
【００２０】
１０    歯ブラシ
１１    柄
１２    ブラシ台
１３    ブラシ
２０    植毛部
２１    外周列
２２    外周植毛部
２３    中央列
２４    中央植毛部
３０    透孔部
【図１】
0003172200.tif 000003
【図２】
0003172200.tif 000004
【図３】
0003172200.tif 000005
【図４】
0003172200.tif 000006
【図５】
0003172200.tif 000007
【図６】
0003172200.tif 000008
【図７】
0003172200.tif 000009
【図８】
0003172200.tif 000010
【図９】
0003172200.tif 000011